(57)【要約】【課題】  印刷ジョブがＺ折りの指示を含み、かつＺ折り対象用紙に複数のページの画像を印刷する指示を含む場合に、Ｚ折り対象用紙をＺ折りした状態でページ全体の画像を視認できるようにした印刷制御装置および方法およびプログラムを提供する。【解決手段】  ネットワーク２０を通じてプリントサーバ４０内の要求受付処理部４５でＺ折りの指示を含み、かつＺ折り対象用紙に複数のページの画像を印刷する指示を含む印刷ジョブを受け、印刷処理情報設定部４３で該Ｚ折り対象用紙をＺ折りした際に表面に臨む下の用紙面と上の用紙面との画像が連続するように１ページ目の画像を該Ｚ折り対象用紙に割り付ける処理を行い、Ｚ折り対象用紙をＺ折りした際に表面に臨む下の用紙面と上の用紙面との画像が連続する印刷出力を得る。【選択図】  図１
2005228232.tif 000002
【特許請求の範囲】
【請求項１】
印刷済み用紙をＺ折りする紙折り装置を有する印刷装置の印刷制御装置において、
印刷ジョブを受け付ける印刷ジョブ受付手段と、
前記印刷ジョブ受け付け手段で受け付けた印刷ジョブがＺ折りの指示を含み、かつＺ折り対象用紙に複数のページの画像を印刷する指示を含む場合は、該Ｚ折り対象用紙をＺ折りした際に表面に臨む下の用紙面と上の用紙面との画像が連続するように前記複数のページの画像を該Ｚ折り対象用紙に割り付ける画像処理手段と、
前記画像処理手段で割り付けた画像の前記Ｚ折り対象用紙に対する印刷を前記印刷装置に指示する出力処理手段と
を具備することを特徴とする印刷制御装置。
【請求項２】
前記画像処理手段は、
４ページの画像を前記Ｚ折り対象用紙の両面に印刷する場合において、第１ページ目の画像を２つに分割して該分割した画像が該折り対象用紙をＺ折りした際に表面に臨む下の用紙面と上の用紙面とにそれぞれ位置するように割り付ける
ことを特徴とする請求項１記載の印刷制御装置。
【請求項３】
前記画像処理手段は、
第３ページ目の画像を前記Ｚ折りした用紙の表面に臨む上の用紙面を開いたときに表面に臨む面に割り付け、第２ページ目および第４ページ目の画像を前記Ｚ折り対象用紙の裏面に割り付ける
ことを特徴とする請求項２記載の印刷制御装置。
【請求項４】
前記画像処理手段は、
第２ページ目の画像を前記Ｚ折りした用紙の表面に臨む上の用紙面を開いたときに表面に臨む面に割り付け、第３ページ目および第４ページ目の画像を前記Ｚ折り対象用紙の裏面に割り付ける
ことを特徴とする請求項２記載の印刷制御装置。
【請求項５】
前記Ｚ折り対象用紙をＺ折りした際に表面に臨む下の用紙面若しくは上の用紙面にスタンプ情報を付与して前記印刷装置に対して印刷指示を行うスタンプ付加手段
を更に具備することを特徴とする請求項１記載の印刷制御装置。
【請求項６】
前記Ｚ折り対象用紙をＺ折りした際に表面に臨む下の用紙面若しくは上の用紙面にページ番号情報を付与して前記印刷装置に対して印刷指示を行うページ番号付加手段
を更に具備することを特徴とする請求項１記載の印刷制御装置。
【請求項７】
印刷済み用紙をＺ折りする紙折り装置を有する印刷装置の印刷制御装置の制御方法において、
印刷ジョブを印刷ジョブ受付手段により受け付け、
前記印刷ジョブ受け付け手段で受け付けた印刷ジョブがＺ折りの指示を含み、かつＺ折り対象用紙に複数のページの画像を印刷する指示を含む場合は、該Ｚ折り対象用紙をＺ折りした際に表面に臨む下の用紙面と上の用紙面との画像が連続するように前記複数のページの画像を画像処理手段により該Ｚ折り対象用紙に割り付け、
前記画像処理手段で割り付けた画像の前記Ｚ折り対象用紙に対する印刷を出力処理手段により前記印刷装置に指示する
ことを特徴とする印刷制御方法。
【請求項８】
印刷済み用紙をＺ折りする紙折り装置を有する印刷装置の印刷制御装置の印刷制御をコンピュータに実行させる印刷制御プログラムにおいて、
印刷ジョブを受け付けるステップと、
該受け付けた印刷ジョブがＺ折りの指示を含み、かつＺ折り対象用紙に複数のページの画像を印刷する指示を含む場合は、該Ｚ折り対象用紙をＺ折りした際に表面に臨む下の用紙面と上の用紙面との画像が連続するように前記複数のページの画像を該Ｚ折り対象用紙に割り付けるステップと、
該画像の該Ｚ折り対象用紙に対する印刷を前記印刷装置に指示するステップと
を含むことを特徴とする印刷制御プログラム。
【発明の詳細な説明】
【技術分野】
【０００１】
本発明は、印刷済み用紙をＺ折りする紙折り装置を有する印刷装置の印刷制御に関し、特に、印刷ジョブがＺ折りの指示を含み、かつＺ折り対象用紙に複数のページの画像を印刷する指示を含む場合に、Ｚ折り対象用紙をＺ折りした状態でページ全体の画像を視認できるようにした印刷制御装置および方法およびプログラムに関する。
【背景技術】
【０００２】
一般に、Ｚ折り機能の付いたプリンタでは、ドキュメントをＺ折りすると、用紙サイズの小さな他のドキュメントと一緒に、同じサイズのバインダーに入れることができ、閉じて整理しやすくなる利点があり、また、複数ページを印刷してブックレットを作成する時に、図だけ大きなページにしたい場合に都合が良い利点がある。
【０００３】
ところで、従来、プリンタによっては、１枚の用紙に複数のページの画像を印刷するＮｕｐ印刷と両面印刷を同時に行えるＮｕｐ／両面印刷対応のタイプがある。
【０００４】
そして、このＮｕｐ／両面印刷を行うと、省資源・環境負荷低減に有利である。
【０００５】
しかしながら、従来の印刷制御装置においては、Ｚ折り対象用紙に対しても通常のＮｕｐ／両面印刷を指示するだけであるので、Ｚ折り対象用紙をＺ折りした状態でページ全体の画像を視認することはできなかった。
【０００６】
また、例えば、特許文献１には、Ｚ折の指示があった時の、ヘッダー/フッダーの位置を変更し、Ｚ折りした状態でもヘッダー/フッダーを視認できるようにした構成が記載されている。
【特許文献１】特開２００２−０７９７２７号公報
【発明の開示】
【発明が解決しようとする課題】
【０００７】
しかし、特許文献１に記載されたものにおいては、Ｚ折り対象用紙にＮｕｐ印刷する場合を全く想定していず、この特許文献１に記載されたものにおいても、Ｚ折り対象用紙をＺ折りした状態でページ全体の画像を視認することはできない。
【０００８】
また、これまで、Ｚ折りとＮｕｐ／両面印刷を両方同時に行った場合、これらの機能を生かしてレイアウトしたくても、ページアウトの選択の余地がなかった。
【０００９】
そこで、この発明は、印刷ジョブがＺ折りの指示を含み、かつＺ折り対象用紙に複数のページの画像を印刷する指示を含む場合に、Ｚ折り対象用紙をＺ折りした状態でページ全体の画像を視認できるようにした印刷制御装置および方法およびプログラムを提供することを目的とする。
【課題を解決するための手段】
【００１０】
上記目的を達成するため、請求項１の発明は、印刷済み用紙をＺ折りする紙折り装置を有する印刷装置の印刷制御装置において、印刷ジョブを受け付ける印刷ジョブ受付手段と、前記印刷ジョブ受け付け手段で受け付けた印刷ジョブがＺ折りの指示を含み、かつＺ折り対象用紙に複数のページの画像を印刷する指示を含む場合は、該Ｚ折り対象用紙をＺ折りした際に表面に臨む下の用紙面と上の用紙面との画像が連続するように前記複数のページの画像を該Ｚ折り対象用紙に割り付ける画像処理手段と、前記画像処理手段で割り付けた画像の前記Ｚ折り対象用紙に対する印刷を前記印刷装置に指示する出力処理手段とを具備することを特徴とする。
【００１１】
また、請求項２の発明は、請求項１の発明において、前記画像処理手段は、４ページの画像を前記Ｚ折り対象用紙の両面に印刷する場合において、第１ページ目の画像を２つに分割して該分割した画像が該折り対象用紙をＺ折りした際に表面に臨む下の用紙面と上の用紙面とにそれぞれ位置するように割り付けることを特徴とする。
【００１２】
また、請求項３の発明は、請求項２の発明において、前記画像処理手段は、第３ページ目の画像を前記Ｚ折りした用紙の表面に臨む上の用紙面を開いたときに表面に臨む面に割り付け、第２ページ目および第４ページ目の画像を前記Ｚ折り対象用紙の裏面に割り付けることを特徴とする。
【００１３】
また、請求項４の発明は、請求項２の発明において、前記画像処理手段は、第２ページ目の画像を前記Ｚ折りした用紙の表面に臨む上の用紙面を開いたときに表面に臨む面に割り付け、第３ページ目および第４ページ目の画像を前記Ｚ折り対象用紙の裏面に割り付けることを特徴とする。
【００１４】
また、請求項５の発明は、請求項１の発明において、前記Ｚ折り対象用紙をＺ折りした際に表面に臨む下の用紙面若しくは上の用紙面にスタンプ情報を付与して前記印刷装置に対して印刷指示を行うスタンプ付加手段を更に具備することを特徴とする。
【００１５】
また、請求項６の発明は、請求項１の発明において、前記Ｚ折り対象用紙をＺ折りした際に表面に臨む下の用紙面若しくは上の用紙面にページ番号情報を付与して前記印刷装置に対して印刷指示を行うページ番号付加手段を更に具備することを特徴とする。
【００１６】
また、請求項７の発明は、印刷済み用紙をＺ折りする紙折り装置を有する印刷装置の印刷制御装置の制御方法において、印刷ジョブを印刷ジョブ受付手段により受け付け、前記印刷ジョブ受け付け手段で受け付けた印刷ジョブがＺ折りの指示を含み、かつＺ折り対象用紙に複数のページの画像を印刷する指示を含む場合は、該Ｚ折り対象用紙をＺ折りした際に表面に臨む下の用紙面と上の用紙面との画像が連続するように前記複数のページの画像を画像処理手段により該Ｚ折り対象用紙に割り付け、前記画像処理手段で割り付けた画像の前記Ｚ折り対象用紙に対する印刷を出力処理手段により前記印刷装置に指示することを特徴とする。
【００１７】
また、請求項８の発明は、印刷済み用紙をＺ折りする紙折り装置を有する印刷装置の印刷制御装置の印刷制御をコンピュータに実行させる印刷制御プログラムにおいて、印刷ジョブを受け付けるステップと、該受け付けた印刷ジョブがＺ折りの指示を含み、かつＺ折り対象用紙に複数のページの画像を印刷する指示を含む場合は、該Ｚ折り対象用紙をＺ折りした際に表面に臨む下の用紙面と上の用紙面との画像が連続するように前記複数のページの画像を該Ｚ折り対象用紙に割り付けるステップと、該画像の該Ｚ折り対象用紙に対する印刷を前記印刷装置に指示するステップとを含むことを特徴とする。
【発明の効果】
【００１８】
この発明によれば、印刷ジョブがＺ折りの指示を含み、かつＺ折り対象用紙に複数のページの画像を印刷する指示を含む場合に、該Ｚ折り対象用紙をＺ折りした際に表面に臨む下の用紙面と上の用紙面との画像が連続するようにページ画像を該Ｚ折り対象用紙に割り付けて印刷装置に印刷指示を行うように構成したので、Ｚ折りされた用紙を視認する際、折られた紙を広げなくてもＺ折りされて折りたたまれた状態のままでページ全体を視認することができるという効果を奏する。
【発明を実施するための最良の形態】
【００１９】
以下、本発明に係わる印刷制御装置および方法およびプログラムの実施例を添付図面を参照して詳細に説明する。
【００２０】
図１は、本発明に係わる印刷制御装置および方法およびプログラムを適用して構成した印刷制御システム１００の一実施例を示すブロック図である。
【００２１】
図１において、この印刷制御システム１００は、複数のクライアントＰＣ（パーソナルコンピュータ）１０−１、１０−２、…１０−ｎと、プリントサーバ４０とがネットワーク２０を介して接続され、プリントサーバ４０には、データベースシステム３０とプリンタ６０が接続されて構成される。
【００２２】
ここで、プリンタ６０は、プリントサーバ４０に直接接続されずに、ネットワーク２０介して接続されていてもよい。
【００２３】
また、プリンタ６０は、後処理装置として紙折り装置６１を有しており、プリンタ６０によって印刷出力された印刷済の用紙は紙折り指示により紙折り装置６１でＺ折りされて排紙されるように構成されている。
【００２４】
複数のクライアントＰＣ１０−１、１０−２、…１０−ｎ（以下、クライアントＰＣ１０という。）は、プリントサーバ４０に対してページレイアウト指示およびＺ折り指示等を含む印刷ジョブを送信する。
【００２５】
プリントサーバ４０は、ユーザからのページレイアウト指示やＺ折り指示、スタンプ配置指示等を受け付けるユーザーインターフェイス画面（以下、「Ｕ／Ｉ画面」という）をクライアントＰＣ１０に表示させるユーザーインターフェイス表示部（以下、「Ｕ／Ｉ表示部」という）４１と、印刷する原稿の画像を取得する画像取得部４２と、画像、スタンプ等の配置設定を行う印刷処理情報設定部４３と、ページレイアウト処理、スタンプ等の処理を行う画像処理部４４と、クライアントＰＣ１０からの印刷要求を受け付ける要求受付処理部４５と、印刷ジョブを蓄積しておく印刷要求部４６と、プリンタ４０に対する印刷出力を処理する出力処理部４７と、プリントサーバ内の各部の制御を行う制御部４８とで構成されている。
【００２６】
データベースシステム３０には、印刷制御処理等の際に使用される各種プログラム、データ、例えば制御プログラムであるオペレーティングシステムプログラム、各種ページ記述言語のプログラムやフォントのラスタライズ用データ等が記憶されている。
【００２７】
このように構成された印刷制御処理装置１００は、Ｕ／Ｉ表示部４１によってクライアントＰＣ１０にユーザのページレイアウト指示要求やスタンプ配置要求を受け付けるＵ／Ｉ画面を表示させる。
【００２８】
クライアントＰＣ１０では、この表示されたＵ／Ｉ画面上においてページレイアウト指示要求やスタンプ配置要求の入力と原稿の印刷要求を行う。
【００２９】
この印刷要求に対してプリントサーバ４０においてデータベースシステム３０との連携により印刷制御処理が行われ、プリンタ６０に印刷指示が送られる。
【００３０】
プリンタ６０では、このプリントサーバ４０からの印刷指示により、印刷と印刷された用紙の紙折り装置６１による折り処理が行われる。
【実施例１】
【００３１】
本実施例においては、１枚の用紙に複数のページの画像を印刷するＮｕｐ印刷に関してＮ＝４の４ｕｐ印刷とし、Ａ４サイズの４ページの画像を１枚のＡ３用紙の表裏各面に配置される印刷制御を例に説明する。
【００３２】
図２は、Ｚ折り機能と４ｕｐ／両面印刷機能を活かして印刷されＺ折りされたＡ３用紙を示す説明図である。
【００３３】
ここで、このＡ３用紙には、Ａ４サイズの４ページの原稿がこのＡ３用紙の表裏面に印刷されている。
【００３４】
図２（ａ）は、印刷されたＡ３用紙がＺ折りされて折りたたまれた状態２０１を示している。
【００３５】
この実施例においては、Ａ３用紙をＺ折りした際に表面に臨む下の用紙面と上の用紙面との画像が連続するようにページ画像を該Ｚ折り対象用紙に割り付けているので、１枚のＡ３用紙に配置された４ページ分の画像の１ページ目は、Ａ３用紙を開かずにＺ折りで折りたたまれた状態２０１のままで原稿内容を視認することができる。
【００３６】
図２（ｂ）は、図２（ａ）に示した構成において、３用紙に印刷された２ページ目を視認する場合を示し、この場合は、Ｚ折りした際に表面に臨む上の用紙面２０２を左にかえすことにより、Ａ３用紙裏面左側に印刷された２ページ目を視認することができる（状態２０３）。
【００３７】
図２（ｃ）は、Ａ３用紙に印刷された３ページ目を視認する場合を示す。この場合は、図２（ｃ）に示すように、Ｚ折りされて折りたたまれた状態から折り目を引き出すことにより（状態２０４から状態２０５）、Ａ３用紙表面中央に印刷された３ページ目を視認することができる。
【００３８】
図２（ｄ）は、Ａ３用紙に印刷された４ページ目を視認する場合を示し、この場合は、Ｚ折りで折りたたまれた状態２０６のまま折られている用紙全体を裏返すことにより、Ａ３用紙裏面右側に印刷された４ページ目を視認することができる（状態２０７）。
【００３９】
次に、Ｚ折り機能と４ｕｐ／両面印刷機能を活かして印刷されＺ折りされた用紙を得る印刷制御処理として、図１に示した印刷制御システム１００における本実施例での印刷制御処理の詳細を図３のフローチャートを参照しながら説明する。
【００４０】
図３は、印刷制御システム１００が本実施例で印刷制御を行う処理フローを示すフローチャートである。
【００４１】
印刷制御システム１００において、まずユーザはクライアントＰＣ１０を通してプリントサーバ４０等にＵ／Ｉ画面の表示を要求し、クライアントＰＣ１０の画面上にユーザからのページレイアウト指示を受け付ける図４に示されるＵ／Ｉ画面４０１が表示される（ステップ３０１）。
【００４２】
図４に示すように、Ｕ／Ｉ画面４０１内にはページレイアウトタブ４０２、その他タブ４０８が存在し、Ｕ／Ｉ画面４０１上でページレイアウトタブ４０２が選択された状態で表示されている。
【００４３】
その他タブ４０８内には、本実施例以外の印刷制御に関してＵ／Ｉ画面が必要なときに表示される。
【００４４】
ページレイアウトタブ４０２内には、２種類のページレイアウトが表示されており、ユーザはそのどちらかを選択できる画面構成となっている。
【００４５】
すなわち、ユーザがＵ／Ｉ画面４０１を使用してページレイアウトの要求をプリントサーバ４０に伝えるにあたって、Ｚ折りされるＡ３用紙表面の中央に３ページ目を配置するレイアウト４０３を選択する場合には、ユーザによりボタン４０４が押され、そして、ユーザがＺ折りされるＡ３用紙表面の中央に２ページ目を配置するレイアウト４０５を選択する場合は、ユーザによりボタン４０６が押される。
【００４６】
このようなＵ／Ｉ画面４０１を使用することにより、Ｚ折り機能と４ｕｐ／両面印刷機能を活かしたページレイアウト指示が印刷ジョブに付加され、この印刷ジョブは、クライアントＰＣ１０からプリントサーバ４０に送られる（ステップ３０２）。
【００４７】
プリントサーバ４０に印刷ジョブが送られると、この印刷ジョブは、プリントサーバ４０の要求受付処理部４５で受け付けられる（ステップ３０３）。
【００４８】
そして、この印刷ジョブ内の印刷原稿の文書画像が画像取得部４２において取得され（ステップ３０４）、印刷処理情報設定部４３及び画像処理部４４において、次に説明するページレイアウト処理等の文書画像処理が行われる（ステップ３０５）。
【００４９】
ここで、ステップ３０５の文書画像処理で得られるＡ４原稿の配置の詳細をページレイアウト４０３が選択された場合について図５を参照して詳しく説明する。
【００５０】
図５（ａ）においてはＡ３用紙表面５０１に１ページ目と３ページ目が配置される。
【００５１】
すなわち、Ａ３用紙表面５０１がＺ折りされる時に谷折りされる折り線５０３を中心に３ページ目５０２が配置され、１ページ目は、右ページ分５０７と左ページ分５０８とに左右に均等に分割され、右ページ分５０７はその左端がＺ折り時に山折りされる折り線５０４にくるように配置され、左ページ分５０８は中央に配置された３ページ目５０２の右側に配置されている白枠５０５と左側に配置されている白枠５０６が等しくなるように３ページ目５０２の左隣に配置される。
【００５２】
なお、配置される各ページは、原稿とパンチ穴５０９とが重ならないように拡大縮小されて配置される。
【００５３】
図５（ｂ）は、図５（ａ）に示したＡ３用紙の裏面５１０のページ配置を示す図である。
【００５４】
このＡ３用紙の裏面５１０には、２ページ目と４ページ目が配置される。
【００５５】
すなわち、Ａ３用紙の裏面５１０から見てＺ折りされる時に谷折りされる折り線５１１を中心に２ページ目５１２が配置され、Ｚ折りされる時に裏面から見て山折りされる折り線５１３と２ページ目右端との白枠５１４と山折り線５１３と４ページ目の左端との白枠５１５とが等しくなるように４ページ目５１６が配置される。
【００５６】
次に、図３に示したサブルーチン化されたステップ３０５の文書画像処理内の処理フローを、図６のフローチャートを参照して詳しく説明する。
【００５７】
図６において、まず画像取得部４２において取得された文書画像のデータをラスタデータに展開するラスタライズ処理が行われる（ステップ６０１）。
【００５８】
次に、Ｕ／Ｉ画面４０１を通して設定されたページレイアウト指示要求が取得される（ステップ６０２）。
【００５９】
ここでは、Ｎ＝４の４ｕｐ／両面印刷を例に説明しているので、ここから、以下に示す４ページ分の文書画像処理が行われる（ステップ６０３からステップ６０７）。
【００６０】
まず、ステップ６０２で取得したページレイアウト指示要求に基づき、１ページ目の配置場所が確認される（ステップ６０４）。
【００６１】
配置場所が確認されると、必要な拡大縮小処理が行われ（ステップ６０５）、ここで、１ページ目は分割して配置されるので、１ページ目の分割処理が行われる（ステップ６０６）。
【００６２】
そして、配置が決定された文書画像をＡ３用紙に合成する処理が行われる（ステップ６０７）。
【００６３】
上記処理が４回繰り返して行われると（今回は４ｕｐ印刷なのでステップ６０３においてＭ＝４の状態でＹＥＳ）、Ｚ折りされるＡ３用紙に対する文書画像処理が終了し、図５で示したＡ３用紙表面５０１、Ａ３用紙裏面５１０に４ページ分を配置する処理が終了する。
【００６４】
このようにして各ページが配置された印刷データは印刷要求部４６に蓄積され、この印刷データは、出力処理部４７でＰＤＬ化処理等の画像出力処理が行われ、紙折り装置６１を備えたプリンタ６０に送られる。そして、印刷指示を受けた紙折り装置６１を備えたプリンタ６０は、この出力処理部４７からの印刷指示に基づいて文書を用紙に印刷し、印刷された用紙は紙折り装置６１によりＺ折りされて排紙される（ステップ３０６）。
【実施例２】
【００６５】
実施例２においては、実施例１の処理に加えて、Ｚ折りされる用紙にスタンプ等の配置要求によるスタンプ等の印刷処理が行われる。
【００６６】
図７（ａ）には、縦Ａ４サイズの用紙にスタンプ情報を印刷させた状態７０１を示す。ここでは、縦Ａ４用紙上部中央部分に各種ヘッダ情報を含むスタンプ情報が印刷されている。
【００６７】
さて、図２（ａ）に示したように、Ｚ折りされるＡ３用紙の表面に配置される１ページ目に、図２（ａ）に示した手法と同様にスタンプ情報を印刷すると状態７０２のようになる。
【００６８】
しかし、この状態７０２では、Ｚ折りされた際に表面に臨む下の用紙面と上の用紙面にまたがってスタンプ情報が印刷されているので、折りたたまれた用紙を開いた時にはスタンプ情報は分離されており読みにくい。
【００６９】
そこで、本実施例においては、図７（ｃ）に示すように、スタンプ情報の配置要求を行い、Ｚ折り対象用紙をＺ折りした際に表面に臨む下の用紙面若しくは上の用紙面に分割されずにスタンプ情報が印刷される。
【００７０】
すなわち、図７（ｃ）において、状態７０３は、Ｚ折りされた用紙の表面に臨む上の用紙面の上段に２行でスタンプ情報が印刷される場合を示し、状態７０４は、Ｚ折りされた用紙の表面に臨む下の用紙面の上段に２行でスタンプ情報が印刷される場合を示し、状態７０５は、Ｚ折りされた用紙の表面に臨む下の用紙面の左端に縦にスタンプ情報が印刷される場合を示す。
【００７１】
また、図７（ｃ）において、状態７０６は、Ｚ折りされた用紙の表面に臨む上の用紙面の下段にスタンプ情報が２行で印刷される場合を示し、状態７０７は、Ｚ折りされた用紙の表面に臨む下の用紙面の下段にスタンプ情報が２行で印刷される場合を示し、状態７０８は、Ｚ折りされた用紙の表面に臨む上の用紙面の右端に縦にスタンプ情報が印刷される場合を示す。
【００７２】
このような構成によると、Ｚ折りされるＡ３用紙をＺ折りした状態でも、広げた時でもスタンプ情報が読みやすくなる。
【００７３】
図８は、Ｚ折りされるＡ３用紙にページ番号を印刷する場合を示す。
【００７４】
図８（ａ）には、縦Ａ４サイズの用紙にページ番号を印刷させた状態８０１を示す。ここでは、縦Ａ４用紙下部中央部分にページ番号が印刷されている。
【００７５】
図８（ｂ）には、Ｚ折りされた際に表面に臨む下の用紙面と上の用紙面にまたがってページ番号が印刷された状態８０２を示す。
【００７６】
この場合も、折りたたまれた用紙を開いた時にはページ番号は分離されており読みにくくなる。
【００７７】
そこで、ページ番号に関しても、図８（ｃ）に示すようように、Ｚ折り対象用紙をＺ折りした際に表面に臨む下の用紙面若しくは上の用紙面にページ番号を分割せずに印刷する。
【００７８】
すなわち、図８（ｃ）において、状態８０３は、Ｚ折りされた際に表面に臨む上の用紙面の下部にページ番号が印刷される場合を示し、状態８０４は、Ｚ折りされた際に表面に臨む下の用紙面の下部にページ番号が印刷される場合を示す。
【００７９】
このような構成によると、Ｚ折りされるＡ３用紙をＺ折りした状態でも、広げた時でもページ番号が読みやすくなる。
【００８０】
次に、本実施例による印刷制御処理の詳細を図９のフローチャートを参照しながら説明する。
【００８１】
まず、図１に示した印刷制御システム１００において、ユーザはクライアントＰＣ１０を通してプリントサーバ４０にＵ／Ｉ画面の表示を要求し、クライアントＰＣ１０の画面上にユーザからのスタンプ配置要求を受け付ける図１０に示されるＵ／Ｉ画面１００１を表示する（ステップ９０１）。
【００８２】
このＵ／Ｉ画面１００１内にはレイアウトオプションタブ１００２、その他タブ１０２０が存在し、Ｕ／Ｉ画面１００１上でレイアウトオプションタブ１００２が選択された状態で表示されている。
【００８３】
その他タブ１０２０内には、本実施例以外の印刷制御に関してＵ／Ｉ画面が必要なときに表示される。
【００８４】
レイアウトオプションタブ１００２内には、配置予想図１０１５とスタンプ配置項目１０２１と日付項目１０２２とファイル名項目１０２３とユーザ名項目１０２４とページ番号項目１０２５が表示されている。
【００８５】
ユーザは、文書画像にスタンプを形成付与したい場合は、スタンプ配置項目１０２１において、チェックボックス１００６にチェックを入れ、スタンプの種類はプルダウンメニュー１００５で選択し、スタンプを形成付与する場所をプルダウンメニュー１００４から選択する。
【００８６】
この時、ユーザの希望するスタンプの種類がない場合には、プルダウンメニュー１００５で「その他（参照）」が選択され、参照ボタン１００３よりユーザの製作したスタンプが指定される。
【００８７】
さらにユーザは、文書画像に日付を配置したい場合は、日付項目１０２２において、チェックボックス１００７にチェックを入れて配置される場所をプルダウンメニュー１００８より選択し、ファイル名を配置したい場合はファイル名項目１０２３においてチェックボックス１００９にチェックを入れて配置される場所をプルダウンメニュー１０１０より選択し、ユーザ名を配置したい場合はユーザ名項目１０２４においてチェックボックス１０１１にチェックを入れて配置される場所をプルダウンメニュー１０１２より選択し、ページ番号を配置したい場合はページ番号項目１０２５においてチェックボックス１０１３にチェックを入れて配置される場所をプルダウンメニュー１０１４より選択する。
【００８８】
このように、スタンプ等の配置要求が入力されたら、ユーザはＵ／Ｉ画面１００１内のスタンプ等の配置予想図１０１５を見てユーザの配置要求を確認する。
【００８９】
このようなＵ／Ｉ画面１００１を使用することにより、Ｚ折りされる用紙にスタンプ等の配置を要求する指示が印刷ジョブに付加され、この印刷ジョブは、クライアントＰＣ１０からプリントサーバ４０に送られる（ステップ９０２）。
【００９０】
プリントサーバ４０に印刷ジョブが送られると、この印刷ジョブは、プリントサーバ４０の要求受付処理部４５で受け付けられる（ステップ９０３）。
【００９１】
そして、印刷ジョブ内の印刷原稿の文書画像が画像取得部４２において取得される（ステップ９０４）。
【００９２】
印刷処理情報設定部４３において、Ｕ／Ｉ画面１００１において要求されたスタンプ等の配置を印刷する文書画像に設定し（ステップ９０５）、画像処理部４４において印刷処理情報設定部４３において設定された内容を受けて、実際に文書にスタンプ等が付与される（ステップ９０６）。
【００９３】
このようにして文書にスタンプ等が付与された印刷データは印刷要求部４６に蓄積され、この印刷データは、出力処理部４７でＰＤＬ化処理等の画像出力処理が行われ、紙折り装置６１を備えたプリンタ６０に送られ、印刷指示を受けた紙折り装置６１を備えたプリンタ６０は、この出力処理部４７からの印刷指示に基づいて文書を用紙に印刷し、印刷された用紙は紙折り装置６１によりＺ折りされて排紙される（ステップ９０７）。
【産業上の利用可能性】
【００９４】
この発明は、印刷済み用紙をＺ折りする紙折り装置を有する印刷装置を有し、かつＺ折り対象用紙に複数のページの画像を印刷することができる印刷制御環境において利用可能である。この発明によれば、Ｚ折り対象用紙をＺ折りした際に表面に臨む下の用紙面と上の用紙面との画像が連続するように前記複数のページの画像をＺ折り対象用紙に割り付けるように構成したので、Ｚ折り対象用紙をＺ折りした状態でページ全体の画像を視認することができる。
【図面の簡単な説明】
【００９５】
【図１】本発明を適用して構成した印刷制御システムの一実施例を示すブロック図
【図２】Ｚ折り機能とＮｕｐ／両面印刷機能を活かしたＡ３用紙を説明する説明図
【図３】実施例１で印刷制御を行う処理フローを示すフローチャート
【図４】ページレイアウト指示を伝えるＵ／Ｉ画面を示す図
【図５】ページレイアウト４０３を説明する説明図
【図６】Ａ３用紙１枚の文書画像処理を行う処理フローを説明するフローチャート
【図７】縦Ａ４用紙に印刷させる方法と本実施例とでスタンプ等を印刷させた様子を比較する図
【図８】縦Ａ４用紙に印刷させる方法と本実施例とでページ番号を印刷させた様子を比較する図
【図９】実施例２で印刷制御を行う処理フローを示すフローチャート
【図１０】スタンプ等の配置指示を伝えるＵ／Ｉ画面を示す図
【符号の説明】
【００９６】
１０−１    クライアントＰＣ
２０    ネットワーク
３０    データベースシステム
４０    プリントサーバ
４１    Ｕ／Ｉ表示部
４２    画像取得部
４３    印刷処理情報設定部
４４    画像処理部
４５    要求受付処理部
４６    印刷要求部
４７    出力処理部
４８    制御部
６０    プリンタ
６１    紙折り装置
４０１    ページレイアウト指示要求Ｕ／Ｉ画面
４０３    Ａ３用紙表面中央にＡ４の３ページ目を配置するレイアウト
４０５    Ａ３用紙表面中央にＡ４の２ページ目を配置するレイアウト
５０１    レイアウト４０３でのＡ３用紙表面におけるＡ４原稿の配置
５１０    レイアウト４０３でのＡ３用紙裏面におけるＡ４原稿の配置
１００１    スタンプ情報等配置要求Ｕ／Ｉ画面
【図１】
2005228232.tif 000003
【図２】
2005228232.tif 000004
【図３】
2005228232.tif 000005
【図４】
2005228232.tif 000006
【図５】
2005228232.tif 000007
【図６】
2005228232.tif 000008
【図７】
2005228232.tif 000009
【図８】
2005228232.tif 000010
【図９】
2005228232.tif 000011
【図１０】
2005228232.tif 000012